(57)【要約】【課題】印鑑照合率を向上させる照合用データを生成すること。【解決手段】３つ以上の印影情報を対応付けて記憶する記憶手段と、前記３つ以上の印影情報を重ね合わせ、半数以上の前記印影情報が重なる部分を算出し、該重なる部分からなる照合用印影を生成する照合用印影生成手段と、を備える印鑑照合用データ生成装置。【選択図】図１
2011210185.tif 000002
【特許請求の範囲】
【請求項１】
３つ以上の印影情報を対応付けて記憶する記憶手段と、
前記記憶手段に対応付けて記憶された３つ以上の印影情報を重ね合わせ、半数以上の前記印影情報が重なる部分を算出し、該半数以上の前記印影情報が重なる部分からなる照合用印影を生成する照合用印影生成手段と、
を備える印鑑照合用データ生成装置。
【請求項２】
３つ以上の印影情報を対応付けて記憶する記憶手段を有するコンピュータに
前記記憶手段に対応付けて記憶された３つ以上の印影情報を読み出す工程と、
前記読み出された３つ以上の印影情報を重ね合わせる工程と、
前記重ね合わされた３つ以上の印影情報のうち、半数以上の前記印影情報が重なる部分を算出する工程と、
該半数以上の前記印影情報が重なる部分からなる照合用印影を生成する工程と、
を実行させるための印鑑照合用データ生成プログラム。
【請求項３】
３つ以上の印影情報を対応付けて記憶する記憶手段と、
前記記憶手段に対応付けて記憶された３つ以上の印影情報を重ね合わせ、半数以上の前記印影情報が重なる部分を算出し、該半数以上の前記印影情報が重なる部分からなる照合用印影を生成する照合用印影生成手段と、
を備える印鑑照合用データ生成装置と、
判定対象印影が前記照合用印影と一致する割合を示す照合率を算出し、前記照合率が閾値以上であるか否かに基づき、前記判定対象印影が前記照合用印影と一致するか否かを判定する印鑑照合手段を備える印鑑照合装置と、
を備える印鑑照合システム。
【請求項４】
前記印鑑照合用データ生成装置は、前記照合用印影と一致すると判定した前記判定対象印影を新たな印影情報として前記記憶手段に前記照合用印影と対応付けて記憶することを特徴とする請求項３記載の印鑑照合システム。
【発明の詳細な説明】
【技術分野】
【０００１】
本発明は、印鑑照合に用いる印鑑照合用データの生成装置、生成プログラム、および印鑑照合を行う印鑑照合システムに関する。
【背景技術】
【０００２】
銀行等の金融機関において、窓口で預金の引き出しなどを行う際に、伝票に押印された印影と届出印の印影とが一致するか否か判定している。
このような印鑑照合処理は、例えば印鑑照合装置で実施される。
【０００３】
印鑑照合装置において、印鑑照合処理は、判定対象印影（伝票に押印された印影）と届出印の印影（印影マスター）とを比較し、判定対象印影が印影マスターと一致する割合（照合率）を算出する。そして、照合率が閾値以上であるか否かに基づいて、判定対象印影が印影マスターと同一であるか、すなわち判定対象印影と印影マスターを生成した印鑑が同一であるか判定している。
【０００４】
印影マスターは、印鑑簿に押印された届出印の印影をスキャンして、画像データとしてマスターデータベース（ＤＢ）に保存したものである。
印鑑簿は、何度も取り出して付帯情報を補記するなどしているため、汚れ（手垢、ボールペン擦れ、折り目）が存在している。
【０００５】
印影マスターは、それら汚れも含めてスキャンした印影を用いているため、印影マスターにも汚れが含まれている。
印影情報（印影マスター）に汚れが含まれていると、伝票の印影が綺麗に押印されていても、印鑑照合処理において、照合率が低くなってしまい、エラーと判定されてしまう可能性が高くなるという問題があった。その場合、オペレータによる確認が必要となり、負担が増大するという問題があった。
【先行技術文献】
【特許文献】
【０００６】
【特許文献１】特開２００２−２４５４５９号公報
【特許文献２】特開平７−６５１７１号公報
【特許文献３】特開２００９−７７０４９号公報
【発明の概要】
【発明が解決しようとする課題】
【０００７】
本発明の課題は、印鑑照合率を向上させる照合用データを生成することである。
【課題を解決するための手段】
【０００８】
実施の形態の印鑑照合用データ生成装置は、記憶手段と、照合用印影生成手段と、を備える。
記憶手段は、３つ以上の印影情報を対応付けて記憶する。
【０００９】
照合用印影生成手段は、前記記憶手段に対応付けて記憶された３つ以上の印影情報を重ね合わせ、半数以上の前記印影情報が重なる部分を算出し、該半数以上の前記印影情報が重なる部分からなる照合用印影を生成する。
【発明の効果】
【００１０】
実施の形態の装置によれば、印鑑照合率を向上させる照合用データを生成することが出来る。
【図面の簡単な説明】
【００１１】
【図１】実施の形態に係る印鑑照合システムの構成図である。
【図２】設定値ＤＢの例である。
【図３】印鑑マスターＤＢの例である。
【図４】印影保管用ＤＢの例である。
【図５Ａ】印影情報の例である。
【図５Ｂ】印影情報の例である。
【図５Ｃ】印影情報の例である。
【図６】精緻化印影の例である。
【図７】実施の形態に係るサーバの印鑑登録処理のフローチャートである。
【図８】実施の形態に係るサーバの印影照合処理のフローチャートである。
【図９Ａ】実施の形態に係る窓口システムの印影照合処理のフローチャートである。
【図９Ｂ】実施の形態に係る窓口システムの印影照合処理のフローチャートである。
【図１０】表示手段の表示例である。
【図１１】表示手段の表示例である。
【図１２】表示手段の表示例である。
【図１３】実施の形態に係る印影情報保存処理のフローチャートである。
【図１４】実施の形態に係る照合用精緻印影要求応答処理のフローチャートである。
【図１５】実施の形態に係る精緻化印影の生成処理のフローチャートである。
【発明を実施するための形態】
【００１２】
以下、図面を参照しながら実施の形態を説明する。
図１は、実施の形態に係る印鑑照合システムの構成図である。
印鑑照合システム１００は、窓口システム１０１およびサーバ２０１を備える。
【００１３】
窓口システム１０１とサーバ２０１はネットワーク３０１を介して接続している。
窓口システム１０１は、例えば、銀行の支店に設けられる。
窓口システム１０１は、印鑑登録手段１０２、印影照合手段１０３、読み取り手段１０４、取引手段１０５、印鑑マスター更新案内手段１０６、表示手段１０７、記憶手段１０８、伝票１０９、印鑑簿１１０を備える。
【００１４】
印鑑登録手段１０２は、サーバ２０１に印影や各種データの登録を依頼する。
印影照合手段１０３は、二つの印影データ、例えば、第１の印影と第２の印影とを比較し、照合率を算出し、二つの印影データが同一の印鑑により生成されたものであるかを判定する。照合率は、第１の印影と第２の印影とを重ね合わせたときの両印影の一致する画素の割合である。
【００１５】
読み取り手段１０４は、伝票１０９や印鑑簿１１０の印影１１２、１１３を読み取り、印影照合処理などに用いる印影データを生成する。
取引手段１０５は、入金や出金、振込み等の処理をサーバ２０１に依頼する。
【００１６】
印鑑マスター更新案内手段１０６は、印鑑の再登録する旨の表示を表示手段１０７に表示する。
表示手段１０７は、取引情報や印鑑の照合結果等の情報を表示する。
記憶手段１０８には、設定値ＤＢ１１１が格納されている。
【００１７】
図２は、設定値ＤＢの例である。
設定値ＤＢ１１１には、許容差分および自動ＯＫ照合率の値が格納されている。
許容差分は、前回の照合率と今回の照合率との差分を求めたときに、判定対象印影が破損や偽造であるか否かの判定に用いる閾値である。
【００１８】
自動ＯＫ照合率は、判定対象印影と印鑑照合において基準となる照合用印影との一致する割合（照合率）を算出したとき、判定対象印影がＯＫ（照合用印影と一致する）と判定するのに用いる閾値である。
【００１９】
伝票１０９は、口座番号、住所、氏名が記載され、印鑑が押印されている。伝票に押印された印影１１２は、判定対象印影となる。また、該印影は、照合用印影の元となる精緻化データとなることもある。
【００２０】
印鑑簿１１０には、口座番号、住所、氏名が記載され、印鑑が押印されている。印鑑簿１１０に押印された印影１１３は、いわゆる届出印の印影である。
サーバ２０１は、印鑑登録手段２０２、印影照合処理手段２０３、取引手段２０４、照合用精緻印影作成手段２０５、印影データ保存手段２０６、および記憶部２０７を備える。
【００２１】
印鑑登録手段２０２は、印鑑マスターＤＢ２１１および印影保管用ＤＢ２１２にデータを格納する。
印影照合処理手段２０３、窓口システム１０１からの照合用印影要求に応じて、印鑑照合に用いられる照合用印影を送信する。
【００２２】
取引手段２０４は、窓口システム１０１からの取引要求に応じて、振込み等の各種取引を行う。
照合用精緻印影作成手段２０５は、記憶部２０７に格納された複数の印影情報を元に、精緻化印影を生成する。尚、精緻化印影の生成方法については後述する。
【００２３】
印影データ保存手段２０６は、窓口システム１０１から送信された印影データを印影保管用ＤＢ２１２に保存する。
記憶部２０７には、印鑑マスターＤＢ２１１および印影保管用ＤＢ２１２が格納されている。
【００２４】
図３は、印鑑マスターＤＢの例である。
印鑑マスターＤＢ２１１には、口座番号、支店、科目、印影マスター、精緻化印影、および前回照合率が対応付けられて格納されている。
【００２５】
口座番号は、金融機関の口座の番号である。
支店は、金融機関の支店名である。
科目は、口座の科目である。
【００２６】
印影マスターは、印鑑簿１１０の印影１１３をスキャンしたデータである。
精緻化印影は、複数の印影情報から生成されたゴミやかすれ等の無い印影データである。尚、精緻化印影の生成方法については後述する。
前回照合率は、前回の印鑑照合を行ったときの照合率である。
【００２７】
図４は、印影保管用ＤＢの例である。
印影保管用ＤＢ２１２には、口座番号、支店、科目、印影情報＃１、印影情報＃２、および印影情報＃３が対応付けられて格納されている。
【００２８】
口座番号は、金融機関における口座の番号である。
支店は、金融機関の支店名である。
科目は、口座の科目である。
【００２９】
印影情報＃１、印影情報＃２、および印影情報＃３は、それぞれ別の伝票１０９の印影１１２をスキャンしたデータである。
【００３０】
図５Ａ〜Ｃは、それぞれ印影情報＃１〜＃３の例である。
上述のように、印影情報＃１、印影情報＃２、および印影情報＃３は、それぞれ別の伝票１０９の印影１１２をスキャンしたデータであり、印影保管用ＤＢ２１２に格納されている。
【００３１】
印影情報＃１〜＃３は、伝票１０９の印影１１２をスキャンしたものであるため、汚れやかすれ等が含まれている。
例えば、図５Ａの印影情報＃１には、ボールペン汚れ４０１、図５Ｂの印影情報＃２には、かすれ４０２、図５Ｃの印影情報＃３には、ゴミ４０３が含まれている。
【００３２】
図６は、精緻化印影の例である。
上述のように、精緻化印影は複数の印影情報から生成された印影データであり、印鑑マスターＤＢ２１１に格納される。
【００３３】
例えば、図６の精緻化印影４０４は、図５Ａ〜Ｃの印影情報＃１〜＃３のうち、２つ以上の印影情報に含まれる部分を抽出した印影である。
上記のような処理を行うことにより、ゴミやかすれ等の無い精緻化印影４０４が生成される。
【００３４】
以下、印鑑の登録処理、印影照合処理、および精緻化印影の生成処理などの印鑑照合システムの動作について述べる。
最初に、印鑑登録処理について説明する。
【００３５】
図７は、実施の形態に係るサーバの印鑑登録処理のフローチャートである。
先ず、窓口システム１０１は、口座番号、支店、科目、および印影マスターを含む印鑑登録依頼をサーバ２０１に送信する。印鑑登録依頼は、例えば、口座開設時や登録印鑑変更時に行われる。印影マスターは、印鑑簿１１０の印影１１３を読み取り手段１０４でスキャンすることにより生成される。
【００３６】
ステップＳ５０１において、印鑑登録手段２０２は、印鑑登録依頼を窓口システム１０１から受信する。そして、印鑑登録手段２０２は、口座番号、支店、科目、および印影マスターを印鑑マスターＤＢ２１１に登録する。
【００３７】
ステップＳ５０２において、印鑑登録手段２０２は、印鑑マスターＤＢ２１１の印影マスターを登録したレコードの精緻化印影および前回照合率を初期化する。
ステップＳ５０３において、印鑑登録手段２０２は、印鑑登録依頼の口座番号、支店、科目をキーにして、印影保管用ＤＢ２１２を検索する。
【００３８】
ステップＳ５０４において、印鑑登録依頼の口座番号、支店、科目に該当するレコードが印影保管用ＤＢ２１２に存在する場合、制御はステップＳ５０５に進み、存在しない場合、ステップＳ５０６に進む。
【００３９】
ステップＳ５０５において、印鑑登録手段２０２は、印影保管用ＤＢ２１２の該当するレコードの印影情報＃１〜＃３を初期化する。
ステップＳ５０６において、印鑑登録手段２０２は、印影保管用ＤＢ２１２に印鑑登録依頼の口座番号、支店、科目を設定したレコードを追加する。
【００４０】
次に印影照合処理について説明する。
先ず、サーバ側の処理について説明する。
図８は、実施の形態に係るサーバの印影照合処理のフローチャートである。
【００４１】
ステップＳ６０１において、印影照合処理手段２０３は、窓口システム１０１から照合用印影要求を受信する。照合用印影要求には、口座番号、支店、科目が含まれている。
ステップＳ６０２において、印影照合処理手段２０３は、照合用印影要求の口座番号、支店、科目をキーとして、印鑑マスターＤＢ２１１を検索し、該当するレコードの精緻化印影が設定されているかチェックする。
【００４２】
ステップＳ６０３において、精緻化印影が設定されている場合、制御はステップＳ６０５に進み、精緻化印影が設定されていない場合、制御はステップＳ６０４に進む。
ステップＳ６０４において、印影照合処理手段２０３は、該当するレコードの印影マスターを照合用印影とする。そして、精緻化印影の存在を示す精緻化印影フラグのフラグを立てずに、照合用印影、該当するレコードの前回照合率、口座番号、支店、科目を合わせて、照合用印影応答として設定する。
【００４３】
ステップＳ６０５において、印影照合処理手段２０３は、該当するレコードの精緻化印影を照合用印影とする。そして、精緻化印影の存在を示す精緻化印影フラグのフラグを立てて、照合用印影、該当するレコードの前回照合率、口座番号、支店、科目を合わせて、照合用印影応答として設定する。
【００４４】
ステップＳ６０６において、印影照合処理手段２０３は、照合用印影要求の口座番号、支店、科目をキーとして、印影保管用ＤＢ２１２を検索する。そして、該当するレコードに設定されている印影情報の数を精緻化用データ数として、照合用印影応答に追加する。
ステップＳ６０７において、印影照合処理手段２０３は、窓口システム１０１に照合用印影応答を送信する。
【００４５】
次に、窓口システム側の処理について説明する。
図９Ａおよび９Ｂは、実施の形態に係る窓口システムの印影照合処理のフローチャートである。
【００４６】
ステップＳ７０１において、印影照合手段１０３には、口座番号、支店、科目、氏名、住所、印影、取引情報が入力される。印影照合手段１０３は、口座番号、支店、科目を含む照合用印影要求をサーバ２０１へ送信する。尚、口座番号、支店、科目、氏名、住所、取引情報は、伝票１０９に記載された情報に基づいて、例えば、オペレータにより入力される。また、印影は、伝票１０９に押印された印影１１２を読み取り手段１０４によりスキャンされた印影データであり、該印影データが判定対象印影となる。
【００４７】
サーバ２０１では、上述の図８に示す印影照合処理が行われ、窓口システム１０１に照合用印影応答を送信する。
ステップＳ７０２において、印影照合手段１０３は、サーバ２０１から照合用印影応答を受信する。そして、印影照合手段１０３は、照合用印影応答に含まれる照合用印影、精緻化印影フラグ、前回照合率、精緻化用データ数を抽出する。
【００４８】
ステップＳ７０３において、印影照合手段１０３は、精緻化印影フラグが立っているか否か判定する。精緻化印影フラグが立っている場合、制御はステップＳ７０４に進み、精緻化印影フラグが立っていない場合、制御はステップＳ７０５に進む。
【００４９】
ステップＳ７０４において、印鑑マスター更新案内手段１０６は、印鑑（再）登録案内を表示手段１０７に表示する。例えば、印鑑（再）登録案内は、図１０に示すように、「精緻化印影を照合に用いています。印鑑マスター再登録することを呼びかけてください。」と表示し、客に対して印鑑の再登録を行うようにさせる旨をオペレータに提示する。
【００５０】
ステップＳ７０５において、印影照合手段１０３は、伝票１０９に記載された情報を元に入力された情報を表示手段１０７に表示する。例えば、表示手段１０７には、口座番号、氏名、印影などの情報が表示される。
【００５１】
ステップＳ７０６において、印影照合手段１０３は、口座番号等の取引情報に間違いがあれば、修正する。
ステップＳ７０７において、印影照合手段１０３は、判定対象印影と照合用印影との印鑑照合を行い、照合率を算出する。照合率は、判定対象印影と照合用印影を重ね合わせたときの両印影の一致する画素の割合である。印影照合手段１０３は、図１１に示すように、ステップＳ７０５で表示した情報に加えて、算出した照合率を表示手段１０７に表示する。
【００５２】
ステップＳ７０８において、印影照合手段１０３は、照合がＯＫであるか否か、すなわち照合率が閾値以上であるか否か判定する。照合率が閾値以上の場合、制御はステップＳ７２０に進み、照合率が閾値未満の場合、制御はステップＳ７０９に進む。
【００５３】
ステップＳ７０９において、印影照合手段１０３は、照合用印影応答の精緻化用データ数が３以上であるか否か判定する。精緻化用データ数が３以上の場合、制御はステップＳ７１０に進み、精緻化用データ数が３未満の場合、制御はステップＳ７１９に進む。
【００５４】
ステップＳ７１０において、印影照合手段１０３は、設定値ＤＢ１１１から許容差分を読み出す。
ステップＳ７１１において、印影照合手段１０３は、前回照合率と今回の照合率との差分を算出する。
【００５５】
ステップＳ７１２において、算出した差分が許容差分より大きい場合、制御はステップＳ７１９に進み、算出した差分が許容差分以下の場合、制御はステップＳ７１３に進む。照合率が閾値以下で、算出した差分が許容差分より大きい場合は、印鑑は破損または偽造されている可能性があると判断する。照合率が閾値以下でも、算出した差分が許容差分以下の場合、すなわち今回の照合率が前回照合率よりわずかに低い場合は、磨耗した印鑑による印影とみなせるので、以下のように精緻化された印影との照合を行う。
【００５６】
ステップＳ７１３において、印影照合手段１０３は、照合用精緻印影要求として、口座番号、支店、科目をセンター２０１に送信する。
センター２０１は、照合用精緻印影要求を受信すると、照合用精緻印影要求応答処理を行い、照合用精緻印影応答を窓口システム１０１に送信する。尚、照合用精緻印影要求応答処理の詳細については後述する。
【００５７】
ステップＳ７１４において、印影照合手段１０３は、照合用精緻印影応答を受信する。照合用精緻印影応答には、口座番号、支店、科目、および照合用印影が含まれる。印影照合手段１０３は、照合用精緻印影応答の照合用印影を抽出し、伝票１０９に記載された情報に基づいて入力された情報、および照合用印影を表示手段１０７に表示する。照合用精緻印影応答にふくまれる照合用印影は、複数の印影情報を元に作成された精緻化された印影である。
【００５８】
ステップＳ７１５において、印影照合手段１０３は、口座番号等の取引情報に間違いがあれば、修正する。
ステップＳ７１６において、印影照合手段１０３は、判定対象印影と照合用印影との印鑑照合を行い、照合率を算出する。
【００５９】
ステップＳ７１７において、印影照合手段１０３は、照合がＯＫであるか否か、すなわち照合率が閾値以上であるか否か判定する。照合率が閾値以上の場合、制御はステップＳ７１８に進み、照合率が閾値未満の場合、制御はステップＳ７１９に進む。
【００６０】
ステップＳ７１８において、印鑑マスター更新案内手段１０６は、印鑑（再）登録案内を表示手段１０７に表示する。
ステップＳ７１９において、印影照合手段１０３は、警告画面を表示手段１０７に表示する。例えば、図１２に示すように、警告画面には、「印鑑が違う可能性が高いです。」と、伝票１０９の印影１１２と印影マスターが異なる旨の表示が行われる。
【００６１】
ステップＳ７２０において、取引手段１０５は、伝票１０９を元に入力された口座番号や取引情報等の情報を取引要求としてサーバ２０１に送信する。
ステップＳ７２１において、印影照合手段１０３は、伝票１０９を元に入力された口座番号、支店、科目、印影、およびステップＳ７０７またはＳ７１６で算出した照合率を印影精緻化用データ登録依頼としてサーバ２０１に送信する。
【００６２】
図１３は、実施の形態に係る印影情報保存処理のフローチャートである。
ステップＳ８０１において、印影データ保存手段２０６は、窓口システム１０１から、印影精緻化用データ登録依頼を受信する。印影精緻化用データ登録依頼には、口座番号、支店、科目、印影、および照合率の情報が含まれている。
【００６３】
ステップＳ８０２において、印影データ保存手段２０６は、印影精緻化用データ登録依頼から印影を抽出する。
ステップＳ８０３において、印影データ保存手段２０６は、印影精緻化用データ登録依頼の口座番号、支店、科目をキーとして、印影保管用ＤＢ２１２を検索し、該当するレコードを特定する。
【００６４】
ステップＳ８０４において、印影データ保存手段２０６は、該当するレコードの印影情報＃１、＃２、＃３の設定状況（データの有無）を取得する。
ステップＳ８０５において、印影データ保存手段２０６は、印影情報＃１、＃２、＃３の内、印影情報が印影情報＃１のみ設定されている（データがある）か否か判定する。印影情報＃１のみ設定されている場合、制御はステップＳ８０６に進み、印影情報＃１以外にも設定されている場合、制御はステップＳ８０７に進む。
【００６５】
ステップＳ８０６において、印影データ保存手段２０６は、特定したレコードの印影情報＃２に抽出した印影を設定する。
ステップＳ８０７において、印影データ保存手段２０６は、印影情報＃１、＃２、＃３の内、印影情報が印影情報＃１および＃２のみ設定されているか否か判定する。印影情報＃１および＃２のみ設定されている場合、制御はステップＳ８０８に進み、印影情報＃１および＃２以外にも設定されている場合、制御はステップＳ８０９に進む。
【００６６】
ステップＳ８０８において、印影データ保存手段２０６は、特定したレコードの印影情報＃３に抽出した印影を設定する。
ステップＳ８０９において、印影データ保存手段２０６は、印影情報＃１、＃２、＃３に印影情報が設定されているか否か判定する。印影情報＃１、＃２、＃３に設定されている場合、制御はステップＳ８１０に進み、印影情報＃１、＃２、＃３に設定されていない場合、制御はステップＳ８１１に進む。
【００６７】
ステップＳ８１０において、印影データ保存手段２０６は、特定したレコードの印影情報＃２のデータを印影情報＃１へコピーし、印影情報＃３のデータを印影情報＃２へコピーする。さらに、印影データ保存手段２０６は、特定したレコードの印影情報＃３に抽出した印影を設定する。
【００６８】
ステップＳ８１１において、印影データ保存手段２０６は、特定したレコードの印影情報＃１に抽出した印影を設定する。
ステップＳ８１２において、印影データ保存手段２０６は、印影精緻化用データ登録依頼から照合率を抽出する。
【００６９】
ステップＳ８１３において、印影データ保存手段２０６は、印影精緻化用データ登録依頼の口座番号、支店、科目をキーとして、印鑑マスターＤＢ２１１を検索し、該当するレコードを特定する。
ステップＳ８１４において、印影データ保存手段２０６は、特定したレコードの前回照合率に抽出した照合率を設定する。
【００７０】
図１４は、実施の形態に係る照合用精緻印影要求応答処理のフローチャートである。
ステップＳ９０１において、照合用精緻印影作成手段２０５は、照合用精緻印影要求（ステップＳ７１３）を窓口システム１０１から受信する。照合用精緻印影要求には、口座番号、支店、科目の情報が含まれている。
【００７１】
ステップＳ９０２において、照合用精緻印影作成手段２０５は、照合用精緻印影要求の、口座番号、支店、科目をキーとして、印影保管用ＤＢ２１２を検索し、該当するレコードを特定する。
【００７２】
ステップＳ９０３において、照合用精緻印影作成手段２０５は、特定したレコードの印影情報＃１〜＃３を読み出し、それぞれ精緻化データ＃１〜＃３とする。
ステップＳ９０４において、照合用精緻印影作成手段２０５は、照合用印影精緻化を行い、精緻化された印影である作業用印影データを生成する。尚、照合用印影精緻化の詳細については後述する。
【００７３】
ステップＳ９０５において、照合用精緻印影作成手段２０５は、作業用印影データを照合用印影とする。
ステップＳ９０６において、照合用精緻印影作成手段２０５は、照合用精緻印影要求の、口座番号、支店、科目、および照合用印影を照合用精緻印影応答として、窓口システム１０１へ送信する。
【００７４】
ステップＳ９０７において、照合用精緻印影作成手段２０５は、窓口システム１０１から、印影精緻化用データ登録依頼を受信したか否か判定する。印影精緻化用データ登録依頼を受信した場合、制御はステップＳ９０８へ進み、受信していない場合、処理を終了する。
【００７５】
ステップＳ９０８において、照合用精緻印影作成手段２０５は、照合用精緻印影要求の、口座番号、支店、科目をキーとして、印鑑マスターＤＢ２１１を検索し、該当するレコードを特定する。
ステップＳ９０９において、照合用精緻印影作成手段２０５は、照合用印影を特定したレコードの精緻化印影に設定する。
【００７６】
図１５は、実施の形態に係る精緻化印影の生成処理（ステップＳ９０４）のフローチャートである。
ステップＳ１００１において、照合用精緻印影作成手段２０５は、精緻化データ＃１〜＃３を２値化する。これにより、精緻化データの印影部分やゴミ部分、汚れ部分は１となり、背景部分やかすれ部分は０となる。２値化された精緻化データ＃１〜＃３はレイヤーデータ＃１〜＃３とする。そして、レイヤーデータ＃１〜＃３を最も一致率が高くなる角度で重ね合わせる。尚、一致率は、複数の印影（レイヤーデータ）を重ね合わせたとき、該複数の印影の一致する画素の割合である。
【００７７】
上記の最も一致率が高くなる角度に関して、例えば、レイヤーデータの中心座標を求め、その座標を中心としてレイヤーデータを回転させながら、一致率を算出することで、一致率が最も高くなる角度を算出することができる。
【００７８】
ステップＳ１００２において、照合用精緻印影作成手段２０５は、作業用印影データを初期化する。すなわち、作業用印影データの各座標の値を０とする。
尚、重ね合わせ後のレイヤーデータおよび作業用印影データのサイズは、横xMax、縦yMaxとする。
【００７９】
ステップＳ１００３において、照合用精緻印影作成手段２０５は、縦方向の座標yを0とする。yは、レイヤーデータおよび作業用印影データの縦方向の座標を表す。
ステップＳ１００４において、照合用精緻印影作成手段２０５は、横方向の座標xを0とする。xは、レイヤーデータおよび作業用印影データの横方向の座標を表す。
【００８０】
ステップＳ１００５において、照合用精緻印影作成手段２０５は、各レイヤーデータの座標(x,y)の画素値の合計を算出する。
ステップＳ１００６において、照合用精緻印影作成手段２０５は、算出した合計値がm以上であるか否か判定する。但し、精緻化データの数をnとしたとき、mはn/2以上の最小の整数とする。合計値がm以上の場合、制御はステップＳ１００７に進み、合計値がm未満の場合、制御はステップＳ１００８に進む。
【００８１】
すなわち、実施の形態において、精緻化データの数は３であるので、照合用精緻印影作成手段２０５は、算出した合計値が２以上であるか否か判定する。合計値が２以上の場合、制御はステップＳ１００７に進み、合計値が２未満の場合、制御はステップＳ１００８に進む。
【００８２】
ステップＳ１００７において、照合用精緻印影作成手段２０５は、作業用印影データの座標(x,y)の画素値を１とする。
例えば、レイヤーデータ＃１〜＃３の座標(x,y)の画素値がそれぞれ、１、１、１の場合、各レイヤーデータの画素値の合計値は３となる。合計値が２以上であるため、作業用印影データの座標(x,y)の画素値は１となる。
【００８３】
同様に、レイヤーデータ＃１〜＃３の座標(x,y)の画素値がそれぞれ、１、１、０の場合、１、０、１の場合、および０、１、１の場合も、各レイヤーデータの画素値の合計値は２以上であるため、作業用印影データの座標(x,y)の画素値は１となる。
【００８４】
ステップＳ１００８において、照合用精緻印影作成手段２０５は、座標xに１を加算する。
ステップＳ１００９において、照合用精緻印影作成手段２０５は、xがxの上限値であるxMaxより大きいか判定する。xがxMaxより大きい場合、ステップＳ１０１０に進み、xがxMax以下の場合、ステップＳ１００５に戻る。
【００８５】
ステップＳ１０１０において、照合用精緻印影作成手段２０５は、座標yに１を加算する。
ステップＳ１０１１において、照合用精緻印影作成手段２０５は、yがyの上限値であるyMaxより大きいか判定する。yがyMaxより大きい場合、処理を終了し、yがyMax以下の場合、ステップＳ１００４に戻る。
【００８６】
上記の精緻化印影の生成処理では、複数の精緻化データを重ね合わせ、半数以上の精緻化データに含まれる部分で作業用印影データが生成される。
ゴミやかすれの位置は、精緻化データごとに異なるので、半数以上の精緻化データに含まれる部分で生成された作業用印影データには、ゴミやかすれ等は含まれない。
【００８７】
実施の形態において、精緻化データの数は３としているが、本発明はこれに限るものではなく、精緻化データの数は３以上であれば良い。
実施の形態の印鑑照合システムによれば、複数の印影情報から精緻化された印影を生成することが出来る。精緻化された印影には、ゴミやかすれ等の情報が含まれていないため、印影照合において、照合率が向上する。これにより、エラーとなる可能性が低くなるので、オペレータによる目視のチェックが必要なくなり、オペレータの負担が軽減される。
【符号の説明】
【００８８】
１００    印鑑照合システム
１０１    窓口システム
１０２    印鑑登録手段
１０３    印影照合手段
１０４    読み取り手段
１０５    取引手段
１０６    印鑑マスター更新案内手段
１０７    表示手段
１０８    記憶手段
１０９    伝票
１１０    印鑑簿
１１１    設定値ＤＢ
１１２、１１３    印影
２０１    サーバ
２０２    印鑑登録手段
２０３    印影照合処理手段
２０４    取引手段
２０５    照合用精緻印影作成手段
２０６    印影データ保存手段
２０７    記憶部
【図１】
2011210185.tif 000003
【図２】
2011210185.tif 000004
【図３】
2011210185.tif 000005
【図４】
2011210185.tif 000006
【図５Ａ】
2011210185.tif 000007
【図５Ｂ】
2011210185.tif 000008
【図５Ｃ】
2011210185.tif 000009
【図６】
2011210185.tif 000010
【図７】
2011210185.tif 000011
【図８】
2011210185.tif 000012
【図９Ａ】
2011210185.tif 000013
【図９Ｂ】
2011210185.tif 000014
【図１０】
2011210185.tif 000015
【図１３】
2011210185.tif 000016
【図１４】
2011210185.tif 000017
【図１５】
2011210185.tif 000018
【図１１】
2011210185.tif 000019
【図１２】
2011210185.tif 000020